(57)【特許請求の範囲】
【請求項１】
一定幅の平板を管路内壁の湾曲と略同様の形状に湾曲させて当該管路内周より一定長長い円形状のバンドを設け、当該バンドの両端部を重合させて当該バンドの内周に設けたスプリングの両端を当該バンドの各端部に夫々固定して当該バンドの両端部を伸縮自在に接続し、かつ当該スプリングにより常時当該バンドが拡張するように付勢して設け、当該バンドの一部の三箇所を切断して、これらを蝶番によりバンドの内側に凹部を形成するように折曲自在に接続して設け、
当該蝶番により折曲自在に設けた部分を折り曲げて当該バンドの内側に上記凹部を形成して当該バンドを縮小させ、この状態を保持して管路内に搬入し、当該管路内におけるバンドの取付け位置に到達した後、上記凹部を形成した蝶番部分を外側へ押圧してバンドを円形状にし、
当該バンドの円周長をスプリングの付勢により拡張させて、管路内壁面に取付けることを特徴とする、管路内壁に通信ケーブルの固定装置を取付けるバンド。
【請求項２】
管路内壁に通信ケーブルを固定する固定装置の取付けにおいて、
一定幅の平板を管路内壁の形状の湾曲と略同様の形状に湾曲させて当該管路内周より一定長長い円形状とし、当該円形状の平板の両端部を重合させて当該バンドの内周に設けたスプリングの両端を当該バンドの各端部に固定して当該バンドの両端部を伸縮自在に接続し、かつ当該スプリングにより常時当該円形状の平板が拡張するように付勢して設け、当該円形状の平板の一部の三箇所を切断して、これらを蝶番により円形状の平板の内側に凹部を形成するように折曲自在に接続したバンドを設け、
当該バンドの、蝶番により折曲自在に設けた部分を折り曲げて当該バンドの内側に上記凹部を形成して当該バンドを縮小させ、この状態を保持して管路内に搬入し、当該管路内におけるバンドの取付け位置に到達した後、当該バンドを管路内壁に押し当て、上記凹部を形成した蝶番部分を外側へ押圧してバンドを円形状にし、
当該バンドの円周長をスプリングの付勢により拡張させて、管路内壁面に取付けることを特徴とする、管路内壁に通信ケーブルの固定装置を取付けるバンドを使用した通信ケーブルの固定装置の取付け方法。
【発明の詳細な説明】
【０００１】
【発明の属する技術分野】
この発明は、下水道管路の内壁面に、光ファイバーケーブル等の通信ケーブルを固定する固定装置を取付けるバンド及び当該バンドを使用した通信ケーブルの固定装置の取付け方法を提供するものである。
【０００２】
【従来の技術】
現在、日本全土に情報通信ネットワークを設立する構想のもとに、全国に埋設された下水道の管路内に通信ケーブルを敷設する計画が進められている。この様な下水道管路として、特に人間が入り込んで作業をすることが出来ない小口径の管路の材質としては、ヒューム管、土管、塩化ビニール管等があり、材質により管路内径の仕上がり寸法は、下水道の計画流下量に影響を受けない範囲で数％の誤差が認められており、これらの誤差及び正円形の歪みは各部分で異なる。
【０００３】
それ故、管路内形状は必ずしも正円形状ではなく、微妙に正円形状が歪んでいる製品も多く見られる。さらに下水道管路は、マンホール間をつなぐ本管路に対し、各家庭や工場などの個別の一般使用者に接続する取付け管が、複数直角に近い状況で接続されており、夫々の取付け管における内径は異なる。
【０００４】
これらの様な下水道管路の内壁に通信ケーブルを敷設する具体的な方法としては、管路内壁のほぼ上半周に通信ケーブルを把持して内壁面に圧接、固定するバネ板状の取付け具および管路補修用ライニング材で管路内面壁に挟み込む方法がある。この様なものとしては、例えば特開昭６１−２８８７０９号、特開平８−２８９４３２号、特開平１１−３１５５８０及び特開２０００−１０４３２５号などがある。
【０００５】
【発明が解決しようとする課題】
しかしながら、取付け具を管路内壁の上半周に固定する方法では、▲１▼一定円形の製品にすると、内径の誤差及び正円形状の歪みで管路内壁面と取付け具の接触面積は、縮小されることとなり取付け具の固定力は、著しく低下する。また▲２▼管路内壁面に密着面積を多くするため各取付け部分の内径位置を調査して、個別の取付け具を作成するには、多くの時間を必要とし、費用も割高になり、施工コスト面で対応できない。▲３▼取付け具と管路内壁面にケーブル収納用の空間を作り、そこに収納するには、取付け具とケーブルを同時に搬入しなければならず、直角に接続されている取付け管部分では、管路内径が異寸法のために同時に搬入することができず、施工できない。
【０００６】
管路補修材と管路内壁面にケーブル通信用チューブを挟み込む方法（特開平８−２８９４３２号）では、▲１▼通信ケーブルの敷設予定管路には、他に多くの健全な管路もあり、これらの健全な管路にとって不必要な補修をすることになる。
また一旦計画数量を敷設すると計画変更等による増管ができない場合もあり、さらに下水道管路内に物体を固定すれば、経年により流水に含まれるゴミ等が付着し、流下を妨げて流下量に影響を与えるおそれがあり、この様な場合のゴミの除去方法が確立されていない。これらの様な結果、人間が入り込めない小口径の下水道管路において取付け具による通信ケーブルの敷設は一般的に実用化されていない。
【０００７】
そこでこの発明は、これらの点に鑑み、通信ケーブルの固定及び撤去が容易かつ安価にでき、さらに管路内における流水の流下量を妨げない、通信ケーブルを固定する固定装置の取り付けバンド及び当該バンドを使用した通信ケーブルの固定装置の取付け方法を提供するものである。
【０００８】
【課題を解決するための手段】
請求項１の発明は、一定幅の平板を管路内壁の湾曲と略同様の形状に湾曲させて当該管路内周より一定長長い円形状のバンドを設け、当該バンドの両端部を重合させて当該バンドの内周に設けたスプリングの両端を当該バンドの各端部に夫々固定して当該バンドの両端部を伸縮自在に接続し、かつ当該スプリングにより常時当該バンドが拡張するように付勢して設け、当該バンドの一部の三箇所を切断して、これらを蝶番によりバンドの内側に凹部を形成するように折曲自在に接続して設け、当該蝶番により折曲自在に設けた部分を折り曲げて当該バンドの内側に上記凹部を形成して当該バンドを縮小させ、この状態を保持して管路内に搬入し、当該管路内におけるバンドの取付け位置に到達した後、上記凹部を形成した蝶番部分を外側へ押圧してバンドを円形状にし、当該バンドの円周長をスプリングの付勢により拡張させて、管路内壁面に取付ける管路内壁に通信ケーブルの固定装置を取付けるバンドとした。
【００１０】
請求項２の発明は、管路内壁に通信ケーブルを固定する固定装置の取付けにおいて、一定幅の平板を管路内壁の形状の湾曲と略同様の形状に湾曲させて当該管路内周より一定長長い円形状とし、当該円形状の平板の両端部を重合させて当該バンドの内周に設けたスプリングの両端を当該バンドの各端部に固定して当該バンドの両端部を伸縮自在に接続し、かつ当該スプリングにより常時当該円形状の平板が拡張するように付勢して設け、当該円形状の平板の一部の三箇所を切断して、これらを蝶番により円形状の平板の内側に凹部を形成するように折曲自在に接続したバンドを設け、当該バンドの、蝶番により折曲自在に設けた部分を折り曲げて当該バンドの内側に上記凹部を形成して当該バンドを縮小させ、この状態を保持して管路内に搬入し、当該管路内におけるバンドの取付け位置に到達した後、当該バンドを管路内壁に押し当て、上記凹部を形成した蝶番部分を外側へ押圧してバンドを円形状にし、当該バンドの円周長をスプリングの付勢により拡張させて、管路内壁面に取付けることを特徴とする、管路内壁に通信ケーブルの固定装置を取付けるバンドを使用した通信ケーブルの固定装置の取付け方法とした。
【００１２】
【実施の形態】
以下、この発明の実施の形態例を図に基づいて説明する。
図１に示すのは、人間が入り込むことが出来ない小径の管路内壁に、通信ケーブルの固定装置を取付けるバンドＡの第一の実施の形態例である。このバンドＡは、平鋼を、取付ける管路内壁の形状の湾曲と略同様の形状に湾曲させたものから成り、全体の長さは、取付ける管路内周の長さより、幾分長く（具体的には後述し、ここでは『αｃｍ』とする。）設けている。またバンドＡにおいては、当該バンドＡの一部の三箇所を一旦切断し、その後これらを三つの蝶番１，１，１によりバンドＡの内側に凹部２を形成するように折曲自在に接続して設けている。
【００１３】
これらの三つの蝶番１，１，１により接続された部分３は、上記の通りこれら三つの蝶番１，１，１により折曲してバンドＡの内側に凹部２を形成自在としている。さらにこのバンドＡの一方の先端ａと、他方の先端ｂから一定長離れた夫々の位置に板状のスプリング止め具４を夫々立設し、これらのスプリング止め具４にスプリング５の各端部を固着して、これによりバンドＡを接続して円形状に設けている。このスプリング５の伸縮により、バンドＡの他方の先端ｂの内側面上を一方の先端ａが移動し、このスプリング５によりバンドＡは伸縮自在に設けられている。但しこのスプリング５は、バンドＡの円周長を伸ばすように付勢されている。
【００１４】
また三つの蝶番１，１，１により接続された部分３を頂上の位置にした際、バンドＡのスプリング５がある位置は、凡そ上記頂上の位置から左側略直角の位置としている。ここで上記バンドＡの他方の先端ｂに立設するスプリング止め具４の位置は、他方の先端ｂから上記αｃｍの位置であり、この長さはおおよそ取付けるスプリング５の長さの位置であり、具体的には数ｃｍ程度である。また上記三つの蝶番１，１，１により凹部２を形成した際のスプリング５は、図２（ａ）に示すように、圧縮されず力がかかっていない状態（伸長している状態）である。
【００１５】
次にこのバンドＡを管路内壁に取付ける様子を説明する。
まず取付ける管路Ｂ（図３参照）内に搬入する前に、予めこのバンドＡにおける三つの蝶番１，１，１により接続された部分３を、図１に示すように、バンドＡの内側に折り曲げて凹部２としてバンドＡを縮小し、さらにこのバンドＡを円形状にして管路Ｂ内壁に取付けた際、当該三つの蝶番１，１，１により接続された部分３が管路Ｂ内壁の頂上部にくる位置にし、この位置を保持して別途設けたバンド取付けロボットに装着し（図示省略）、その後このバンド取付けロボットを管路Ｂ内を進行させてバンドの取付け位置に到達した後、このバンド取付けロボットにより、バンドＡを管路Ｂ内壁に押し当て、図３に示すように上記凹部２の蝶番１部分を内側から外側へ押圧して（図３では、白抜き矢印で示す）上記三つの蝶番１，１，１により折り込まれた凹部２を復元させる。
【００１６】
すると、図４に示すように、バンドＡ全体にスプリング５の付勢が伝わり、バンドＡは外側に拡張する力（図４では、白抜き矢印で示す）が加えられた状態となる。この後、バンド取付けロボットにおけるバンドＡの装着を解除すると、図５に示すように、バンドＡは三つの蝶番１，１，１により接続された部分３を管路Ｂ内壁面の頂上にして密着する。この様にスプリング５によるバンドＡを拡張しようとする力は、このバンドＡが管路Ｂ内壁面に密着すると、今度はこのバンドＡを管路Ｂ内壁面に押し付ける押圧力となり、固定する力となる。
【００１７】
次に管路Ｂの内径が規定と異なり大小の変化を有する場合のバンドＡとスプリング５の関係を説明する。
図２（ｂ）は、バンドＡを管路内壁に装着した状態でバンドＡ上に凹部２を形成しておらず、管路Ｂ内径が規定寸法通りに仕上がっている場合を示し、この場合のスプリング５の状況は稼動範囲の約１／２圧縮された状態となっており、図２（ｃ）は、同じくバンドＡを管路内壁に装着した状態でバンドＡ上に凹部２を形成しておらず、管路Ｂ内径が規定寸法より小さく仕上がっている場合を示し、この場合スプリング５の状況は非常に圧縮された状態を示し、図２（ｄ）は、同じくバンドＡを管路内壁に装着した状態でバンドＡ上に凹部２を形成しておらず、管路Ｂ内径が規定寸法より大きく仕上がっている場合を示し、この場合スプリング５の状況は少し圧縮された状態を示している。
【００１８】
この様に、使用されるスプリング５の稼動範囲内であれば、取付けられる管路Ｂ内径の規定範囲内の大小の変化があったとしても、バンドＡの当該管路Ｂ内壁面に対する一定の密着力は維持される。また使用するスプリング５の強弱を選択することにより、当該スプリング５が管路Ｂ内壁に与える押圧力を変えることが出来、この押圧力を長期間に渡って維持することができる。
【００１９】
さらにこのバンドＡを使用した他の例として、バンドＡを、平鋼に代えて外側に拡張するように付勢したバネ板で設けても良く（図示省略）、その場合、スプリング５の付勢にさらにこのバネ板の付勢も加わり、強力な管路内壁に対する押圧力が得られる。さらにバンドＡを永久磁石により作成し、通信ケーブルに、一定間隔で磁性体を設けたり又は帯状にした磁性体を設けて、バンドＡに吸着させることにより通信ケーブルを敷設してもよく（図示省略）、また図６に示すように、断面略チャネル型でスプリングや開閉扉によりその内側に通信ケーブルを着脱自在な固定装置６を、バンドＡに接着剤、ビス及び磁石などにより、固着して通信ケーブル７を敷設してもよい。
【００２０】
図７に示すのは、管路Ｂ内壁に、通信ケーブルの固定装置を取付けるバンドの第二の実施の形態例である。このバンドＤは、取付ける管路Ｂ内壁の形状の湾曲と略同様の湾曲を有し、長さが当該管路Ｂ内周の約６割の長さである、一定幅の平鋼より設けており、また図８に示すように、この平鋼の、長手方向の両端の二つの部位を蝶番８を介して内側に折り返し自在に、かつこの蝶番８に設けたコイルスプリング９により二つの部材は常時外側に拡張するように付勢した湾曲形状に設けている。
【００２１】
次にこのバンドＤを管路Ｂ内壁に取付ける様子を説明する。
まず取付ける管路Ｂ内に搬入する前に、予めこのバンドＤにおける上記二つの蝶番８によりバンドＤの両端部ｄを内側に回動させて折り込んでこのバンドＤを縮小し、さらにこのバンドＤを元の状態にして管路Ｂ内壁に取付けた際、バンドＤの湾曲した頂上部が管路Ｂ内壁の頂上部にくる位置にし、この位置で別途設けたバンド取付けロボットに装着し（図示省略）、その後管路Ｂ内を進行させてバンドＤの取付け位置に到達した後、バンド取付けロボットにより、管路Ｂ内壁の上部に押し当てた後、上記バンドＤの縮小の保持を解除し、コイルスプリング９，９の付勢による外側へ拡張する力により、バンドＤは管路Ｂ内壁面に密着する。
【００２２】
このバンドＤに、上記図６に示した固定装置６を固着して通信ケーブル７を敷設した状態を図９及び図１０に示す。またバンドＤを、平鋼に代えて外側に拡張するように付勢したバネ板で設けても良く（図示省略）、その場合、コイルスプリング９の付勢にさらにこのバネ板の付勢も加わり、強力な管路内壁に対する押圧力が得られる。
【００２３】
なお上記の実施の形態例では、バンドＡの三つの蝶番１，１，１により接続された部分３を頂上にし、バンドＡのスプリング５の位置を凡そ頂上の位置から左側略直角の位置に設けているが、これらの位置に設けることはこの発明の必須要件ではなく、これらの位置は管路Ｂ内を流れる流水の妨げにならない位置であればよい。またバンドＤを管路Ｂ内壁の頂上部に取付ける様子を述べているが、このバンドＤを取付ける位置は、管路Ｂ内壁の頂上部に限るものではなく、管路Ｂ内壁の側面等でも勿論よい。
【００２４】
またバンドＡ及びバンドＤを平鋼によって形成しているが、材質としては平鋼に限るものではなく、プラススチックなどでもよい。また管路Ｂ内壁の取付けを作業用ロボットによって行っているが、これらの作業用ロボットは、この発明の必須要件ではない。さらに第二の実施の形態例において、コイルスプリング９によりバンドＤを常時外側に拡張するように設けているが、コイルスプリング９に換えてバネ状の他のものを使用してもよい。
【００２５】
【発明の効果】
請求項１及び２の各発明によれば、管路内壁の形状と略同様の形状を有し、バンドの内周に設けたスプリングによって、バンドの円周方向に拡張自在なバンドを蝶番により折曲自在に設けた部分を折り曲げて、当該バンドの内側に凹部を形成して縮小させて管路内壁に搬入し、その後上記凹部を形成した蝶番部分を外側へ押圧してバンドを円形状にし、上記スプリングによって管路内で拡張させて、この拡張する力により、管路内壁を押圧して固着しているので、これらのバンドを使用した通信ケーブルの固定装置の取付けが、極めて簡単、確実かつ安価にでき、また望む位置に取付ける事が出来る。これにより、取り付けられる管路内径に規定範囲内の大小の変化があったとしてもバンドの管路内壁面に対する一定の密着力は維持される。また通信ケーブル敷設位置の変更や増加があったとしても十分に対応でき、さらに管路内の流水を妨げることが極めて少ない。また取外しにおいても極めて容易にできる。
【図面の簡単な説明】
【図１】この発明の第一の実施の形態例におけるバンドにおいて、三つ蝶番により接続された部分を折り曲げて内側に凹部を形成した状態の斜視図である。
【図２】（ａ）この発明の第一の実施の形態例のバンドにおいて、三つの蝶番により接続された部分を折り曲げて凹部を形成した際の当該バンドのスプリングの状態を示す説明図である。
（ｂ）この発明の第一の実施の形態例のバンドにおいて、三つの蝶番により接続された部分により凹部を形成していない状態で、規定寸法通りの管路内径に取付けたバンドのスプリングの状態を示す説明図である。
（ｃ）この発明の第一の実施の形態例のバンドにおいて、三つの蝶番により接続された部分により凹部を形成していない状態で、規定寸法より小さな管路内径に取付けたバンドのスプリングの状態を示す説明図である。
（ｄ）この発明の第一の実施の形態例のバンドにおいて、三つの蝶番により接続された部分により凹部を形成していない状態で、規定寸法より大きな管路内径に取付けたバンドのスプリングの状態を示す説明図である。
【図３】この発明の第一の実施の形態例のバンドを縮小して管路内に搬入し、凹ませた凹部を管路内壁方向に押圧する様子を示す説明図である。
【図４】この発明の第一の実施の形態例のバンドにおいて、凹部を復元させた状態であって、このバンドの外側に拡張する力、及びこの拡張する力によりバンドが管路内壁に密着固定している状態を示す正面図である。
【図５】この発明の第一の実施の形態例のバンドを、三つの蝶番により接続された部分を管路内壁面の頂上部にして密着固定させた状態を示す説明図である。
【図６】この発明の第一の実施の形態例の管路内壁に取付けられたバンドに断面略チャネル型でスプリングや開閉扉によりその内側に通信ケーブルを着脱自在な固定装置を固着して通信ケーブルを敷設した状態を示す説明図である。
【図７】この発明の第二の実施の形態例のバンドの斜視図である。
【図８】この発明の第二の実施の形態例のバンドにおいて、その両端部を内側に折曲自在に設けた様子を示す説明図である。
【図９】この発明の第二の実施の形態例のバンドを管路内壁に取付け、さらにこのバンドに、断面略チャネル型でスプリングや開閉扉によりその内側に通信ケーブルを着脱自在な固定装置を固着して、通信ケーブルを敷設した状態の正面図である。
【図１０】この発明の第二の実施の形態例のバンドを管路内壁に取付け、さらにこのバンドに、断面略チャネル型でスプリングや開閉扉によりその内側に通信ケーブルを着脱自在な固定装置を固着して、通信ケーブルを敷設した状態の斜視図である。
【符号の説明】
Ａ    バンド                      Ｂ    管路
１    蝶番                        ２    凹部
３    三つの蝶番により接続された部分
５    スプリング                  ７    通信ケーブル
８    蝶番                        ９    コイルスプリング
【図１】
0003699406.tif 000002
【図２】
0003699406.tif 000003
【図３】
0003699406.tif 000004
【図４】
0003699406.tif 000005
【図５】
0003699406.tif 000006
【図６】
0003699406.tif 000007
【図７】
0003699406.tif 000008
【図８】
0003699406.tif 000009
【図９】
0003699406.tif 000010
【図１０】
0003699406.tif 000011